(57)【要約】      （修正有）【課題】素早い定位及び便利な装設効果を達成させる形鋼支持金具を提供する。【解決手段】形鋼支持金具は、支持台２０及び２つの位置決め部材３０を備える。支持台は上部板２１及び２片の立設片２２を有し、２片の立設片は上部板の対向し合う両側辺に一体に連接され、互いの間に挿設空間２４が形成される。支持台は一方で挿設空間により形鋼柱４０の上端に覆設され、他方で２片の立設片により形鋼柱の上端に固定される。２つの位置決め部材は支持台の上部板の対向し合う両側辺から支持台から離間する方向に延出されると共に形鋼梁４４に固定される。【選択図】図２
0003217892.tif 000002
【実用新案登録請求の範囲】
【請求項１】
形鋼柱及び形鋼梁を１つに装設させるために用いられる形鋼支持金具であって、前記形鋼支持金具は、
上部板及び２片の立設片を有し、前記２片の立設片は前記上部板の対向し合う両側辺に連接され、前記上部板と前記２片の立設片との間に挿設空間が形成される支持台であって、前記支持台の前記２片の立設片は前記形鋼柱の上端に固定させるために用いられ、且つ前記支持台の挿設空間は前記形鋼柱の上端に覆設させるために用いられることと、
前記支持台の前記上部板の対向し合う両側辺から前記支持台から離間する方向に延出され、前記形鋼梁を定位させるために用いられる２つの位置決め部材とを備えることを特徴とする形鋼支持金具。
【請求項２】
各前記位置決め部材は前記支持台の前記上部板から前記支持台から離間する方向に水平に延出される板体であり、前記板体は前記形鋼梁の底面に受けとめるように固定されることを特徴とする請求項１に記載の形鋼支持金具。
【請求項３】
各前記位置決め部材は受け壁と、第一側壁と、第二側壁とを有し、前記受け壁は前記支持台の前記上部板から前記支持台から離間する方向に水平に延出され、前記第一側壁及び第二側壁は対向し合うように前記受け壁に垂直に連接され、前記受け壁、前記第一側壁、及び第二側壁の間には前記形鋼梁を嵌合させるための位置決め溝が形成されることを特徴とする請求項１に記載の形鋼支持金具。
【請求項４】
各前記位置決め部材は受け壁と、第一側壁と、第二側壁と、橋設壁とを有し、前記受け壁は前記支持台の前記上部板から前記支持台から離間する方向に水平に延出され、前記第一側壁及び第二側壁は対向し合うように前記受け壁に垂直に連接され、前記橋設壁は前記受け壁の上方に位置されると共に前記第一側壁及び第二側壁に垂直に連接され、前記受け壁、前記第一側壁、第二側壁、及び前記橋設壁の間には包囲されるように前記形鋼梁を覆設させるための位置決め溝が形成されることを特徴とする請求項１に記載の形鋼支持金具。
【請求項５】
前記支持台の各前記立設片の内の一側辺は第一位置限定部を有し、前記支持台の各前記立設片の対向する他の側辺は第二位置限定部を有し、前記２つの第一位置限定部は互いに対向し合い、前記２つの第二位置限定部は互いに対向し合うことを特徴とする請求項１乃至４の何れか１項に記載の形鋼支持金具。
【考案の詳細な説明】
【技術分野】
【０００１】
本考案は、ソーラーパネルモジュールの支持金具に関し、より詳しくは、素早く定位でき、装設が便利な形鋼支持金具に関する。
【背景技術】
【０００２】
よく知られているように、太陽光発電システムは主にソーラーパネルモジュールにより吸収される太陽光が電気エネルギーに変換された後に蓄電されて使用される。太陽光発電システムではソーラーパネルモジュールを架設させるために広い空間が必要であり、空間を効率的に利用する目的を達成させるため、従来はソーラーパネルモジュールを既存の建築物の屋根、室外の地面、または道路の側に架設させることで解決を図っている。
【考案の概要】
【考案が解決しようとする課題】
【０００３】
しかしながら、前述した従来のソーラーパネルモジュール架設技術では、すなわち、装設に際して多くの部材を使用する必要があり、定位及び後続の固定過程が非常に面倒であった。このため、その構造には改善の余地がある。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、素早く定位でき、装設が便利であるという特性を有する形鋼支持金具を提供することを目的とする。
【課題を解決するための手段】
【０００６】
上述した課題を解決し、目的を達成するために、本考案に係る形鋼支持金具の特徴は、支持台及び２つの位置決め部材を備える。前記支持台は上部板及び２片の立設片を有し、前記２片の立設片は前記上部板の対向し合う両側辺に一体に垂直に連接され、前記上部板と前記２片の立設片との間に挿設空間が形成される。前記支持台は一方では前記挿設空間により形鋼柱の上端に覆設され、他方では前記２片の立設片及び前記形鋼柱の上端が一緒に固定される。前記２つの位置決め部材は前記支持台の上部板の対向し合う両側辺から前記支持台から離間する方向に一体に延出され、且つ形鋼梁と共に固定される。
【０００７】
以上のことから、本考案の形鋼支持金具は、前記支持台及び前記２つの位置決め部材の組み合わせにより、不要な部材の数量を減少させて構造の簡略化を達成させる。また、前記形鋼柱及び前記形鋼梁は素早く装設可能であり、素早い定位及び装設を便利にする効果を達成させる。
【０００８】
好ましくは、各前記位置決め部材は前記支持台の上部板から前記支持台から離間する方向に水平に延出される板体であり、各前記位置決め部材は前記形鋼梁の底面に受けとめるように固定される。
【０００９】
好ましくは、各前記位置決め部材は受け壁と、第一側壁と、第二側壁とを有し、前記受け壁は前記支持台の上部板から前記支持台から離間する方向に水平に延出され、前記第一側壁及び第二側壁は対向し合うように前記受け壁に垂直に連接され、前記受け壁、前記第一側壁、及び第二側壁の間には位置決め溝が形成される。これにより、前記形鋼梁が前記２つの位置決め溝に嵌合された後、前記２つの受け壁に固定される。前記形鋼梁が素早く定位可能となることで作業時間が短縮され、装設完成後には各前記位置決め部材と前記形鋼梁との間の構造安定性が向上する。
【００１０】
好ましくは、各前記位置決め部材は受け壁と、第一側壁と、第二側壁と、橋設壁とを有し、前記受け壁は前記支持台の上部板から前記支持台から離間する方向に水平に延出され、前記第一側壁及び第二側壁は対向し合うように前記受け壁に垂直に連接され、前記橋設壁は前記受け壁の上方に位置されると共に前記第一側壁及び第二側壁に垂直に連接され、前記受け壁、前記第一側壁、第二側壁、及び前記橋設壁の間には包囲されるように位置決め溝が形成される。これにより、前記形鋼梁が前記２つの位置決め溝に貫設された後に前記２つの受け壁に固定される。前記形鋼梁が素早く定位可能となることで作業時間が短縮され、装設完成後には各前記位置決め部材と前記形鋼梁との間の構造安定性が向上する。
【００１１】
好ましくは、前記支持台の各前記立設片の内の一側辺は第一位置限定部を有し、前記支持台の各前記立設片の対向する他の側辺は第二位置限定部を有し、前記２つの第一位置限定部は互いに対向し合い、前記２つの第二位置限定部は互いに対向し合う。こうして装設に際して前記支持台の前記２片の立設片及び前記形鋼柱が対置されることで作業時間が短縮され、装設完成後には両者の間の構造安定性が向上する。
【考案の効果】
【００１２】
本考案の形鋼支持金具によれば、支持台及び前記２つの位置決め部材の組み合わせにより、不要な部材の数量が減少して構造が簡略化されるのみならず、形鋼柱及び形鋼梁を素早く装設でき、素早い定位及び装設を便利にする目的を達成させる。
【図面の簡単な説明】
【００１３】
【図１】本考案の実施例１に係る形鋼支持金具を示す外観斜視図である。
【図２】本考案の実施例１に係る形鋼支持金具を示す分解斜視図である。
【図３】本考案の実施例２に係る形鋼支持金具を示す外観斜視図である。
【図４】本考案の実施例２に係る形鋼支持金具を示す部分分解斜視図である。
【図５】本考案の実施例３に係る形鋼支持金具を示す外観斜視図である。
【図６】本考案の実施例３に係る形鋼支持金具を示す部分分解斜視図である。
【図７】本考案の実施例４に係る形鋼支持金具を示す外観斜視図である。
【図８】本考案の実施例４に係る形鋼支持金具を示す部分分解斜視図である。
【考案を実施するための形態】
【００１４】
以下に図面を参照して、本考案を実施するための形態について、詳細に説明する。なお、各実施の形態によりこの考案が限定されるものではない。また、本明細書で述べる「内」、「外」、「上」、「左」、「右」等の方向の形容詞は正常な使用方向を基準として例示する用語であり、主張の範囲を制限するものではない。
【実施例１】
【００１５】
本考案の実施例１の構成を図１及び図２に示す。本考案の実施例１に係る形鋼支持金具１０は、支持台２０及び２つの位置決め部材３０を備える（図１及び図２参照）。
【００１６】
支持台２０は上部板２１及び２片の立設片２２を有する。前記２片の立設片２２は上部板２１の前後の両側辺に一体に垂直に連接され、上部板２１の底面と２片の立設片２２の内側面との間に挿設空間２４が形成される。また、前記２片の立設片２２は、挿設空間２４に連通されると共に上下方向に形成される第一長孔部２３をそれぞれ有する。
【００１７】
位置決め部材３０は本実施例では支持台２０の上部板２１から支持台２０から離間する方向に一体に水平に延出される板体である。位置決め部材３０は第二長孔部３１を有し、第二長孔部３１の長軸方向は第一長孔部２３の長軸方向に垂直になる。
【００１８】
実際の使用において、図１及び図２に示されるように、支持台２０は挿設空間２４により形鋼柱４０の上端に覆設される（形鋼柱４０の底端は建築物の屋根または室外の地面に固定させるために用いられる）。その後、ボルト２５が前記２片の立設片２２の第一長孔部２３、形鋼柱４０の上部孔４２、及びワッシャー２６を貫通させた後にナット２７により固定され、こうして支持台２０と形鋼柱４０との間の装設が完成する。次いで、支持台２０の上部板２１及び前記２つの位置決め部材３０が共に形鋼梁４４の底面を受け止める（形鋼梁４４はソーラーパネル（図示省略）を装設させるために用いられる）。次に、２つのボルト３２がセットとなって位置決め部材３０の第二長孔部３１、形鋼梁４４の底孔４６、及びワッシャー３３をそれぞれ貫通させた後、ナット３４により固定される。こうして前記２つの位置決め部材３０と形鋼梁４４との間の装設が完成する。
【実施例２】
【００１９】
本考案の実施例２の構成を図３及び図４に示す。本考案の実施例２に係る形鋼支持金具１２の前述の実施例との主な差異は位置決め部材５０の構造にある。更に詳しくは、位置決め部材５０は受け壁５１と、第一側壁５２と、第二側壁５３とを有する。受け壁５１は支持台２０の上部板２１から支持台２０から離間する方向に一体に水平に延出され、第一側壁５２及び第二側壁５３は対向し合うように受け壁５１に垂直に連接され、受け壁５１、と第一側壁５２及び第二側壁５３との間に位置決め溝５４が形成される。これにより、形鋼梁４４は装設に際してまず前記２つの位置決め溝５４内に定位されるように嵌合され、形鋼梁４４と前記２つの位置決め部材５０との間の相対的な位置に偏差が生じない。次いで、形鋼梁４４の位置を少し調整させるのみで、形鋼梁４４の底孔４６が対になって受け壁５１の第二長孔部５５に対応させ、ボルト３２及びナット３４を使用して後続の螺合が行われる。換言すれば、各位置決め部材５０により形鋼梁４４が素早く定位されるため作業時間が短縮され、装設完成後には各位置決め部材５０と形鋼梁４４との間の構造安定性が向上する。
【実施例３】
【００２０】
本考案の実施例３の構成を図５及び図６に示す。本考案の実施例３に係る形鋼支持金具１４の前述の実施例２との主な差異は支持台６０の構造にある。本実施例では、支持台６０の各立設片６１の左側辺には第一位置限定部６２を有し、支持台６０の各立設片６１の右側辺には第二位置限定部６３を有し、前記２片の立設片６１の第一位置限定部６２は互いに対向し合い、前記２片の立設片６１の第二位置限定部６３も互いに対向し合う。これにより、支持台６０が挿設空間６５により形鋼柱４０の上端に覆設される過程において、前記２つの第一位置限定部６２及び第二位置限定部６３が支持台６０の立設片６１と形鋼柱４０との間の相対的な位置に偏差が生じないようにさせる。これにより、支持台６０の立設片６１の第一長孔部６４が形鋼柱４０の上部孔４２に高速に対応させ、後続のボルト２５及びナット２７による螺合に利する。装設完成後に、前記２つの第一位置限定部６２及び第二位置限定部６３により支持台６０と形鋼柱４０との間の構造安定性が向上する。
【実施例４】
【００２１】
本考案の実施例４の構成を図７及び図８に示す。本考案の実施例４に係る形鋼支持金具１６の構造は前述の実施例２とほぼ同じであり、主な差異は位置決め部材７０の構造にある。更に詳しくは、位置決め部材７０は受け壁７１と、第一側壁７２と、第二側壁７３と、橋設壁７４とを有する。受け壁７１は支持台２０の上部板２１から支持台２０から離間する方向に一体に水平に延出され、第一側壁７２及び第二側壁７３は対向し合うように受け壁７１に垂直に連接される。橋設壁７４は受け壁７１の上方に位置されると共に第一側壁７２及び第二側壁７３に一体に垂直に連接され、受け壁７１、第一側壁７２、第二側壁７３、及び橋設壁７４の間には包囲されるように位置決め溝７５が形成される。これにより、形鋼梁４４の装設に際して、まず前記２つの位置決め溝７５内に定位されるように貫設され、形鋼梁４４と前記２つの位置決め部材７０との間の相対的な位置に偏差が生じなくなる。次いで、形鋼梁４４の位置を少し調整させるのみで、形鋼梁４４の底孔４６が対になって受け壁７１の第二長孔部７６に対応させ、ボルト３２及びナット３４により後続の螺合が行われる。つまり、位置決め部材７０により形鋼梁４４が素早く定位されるため、作業時間が短縮され、装設完成後には位置決め部材７０と形鋼梁４４との間の構造安定性が向上する。
【００２２】
総合すると、本考案に係る形鋼支持金具１０、１２、１４、１６は支持台２０、６０及び前記２つの位置決め部材３０、５０、７０の組み合わせにより、不要な部材の数量が減少して構造が簡略化されるのみならず、形鋼柱４０及び形鋼梁４４が素早く装設可能になり、素早い定位及び装設を便利にする目的を達成させる。
【００２３】
以上、本考案の実施例について図面を参照して詳述したが、具体的な構成はこの実施例に限られるものではなく、本考案の要旨を逸脱しない範囲の設計変更等も含まれる。
【符号の説明】
【００２４】
１０  形鋼支持金具
２０  支持台
２１  上部板
２２  立設片
２３  第一長孔部
２４  挿設空間
２５  ボルト
２６  ワッシャー
２７  ナット
３０  位置決め部材
３１  第二長孔部
３２  ボルト
３３  ワッシャー
３４  ナット
４０  形鋼柱
４２  上部孔
４４  形鋼梁
４６  底孔
１２  形鋼支持金具
５０  位置決め部材
５１  受け壁
５２  第一側壁
５３  第二側壁
５４  位置決め溝
５５  第二長孔部
１４  形鋼支持金具
６０  支持台
６１  立設片
６２  第一位置限定部
６３  第二位置限定部
６４  第一長孔部
６５  挿設空間
１６  形鋼支持金具
７０  位置決め部材
７１  受け壁
７２  第一側壁
７３  第二側壁
７４  橋設壁
７５  位置決め溝
７６  第二長孔部
【図１】
0003217892.tif 000003
【図２】
0003217892.tif 000004
【図３】
0003217892.tif 000005
【図４】
0003217892.tif 000006
【図５】
0003217892.tif 000007
【図６】
0003217892.tif 000008
【図７】
0003217892.tif 000009
【図８】
0003217892.tif 000010